(57)【特許請求の範囲】
【請求項１】
隣接する建物間の躯体間隙を覆う屋根型ジョイントカバー材又は躯体の天端面を覆う笠木型カバー材の下地材であって、前記躯体間隙幅方向又は天端面短手幅方向の立上り側壁により形成された凹溝部を有する下地材本体部と、下地材本体部の少なくとも一側に配設してあり、凹溝部を閉塞するように立上げ形成した水返し片を有する垂下部とを備え、立上り側壁と水返し片とを同等高さに形成して凹溝部の周壁としてあり、下地材本体部の凹溝部内の底板部に形成したボルト挿通用長孔にボルトを挿通して躯体天端面側に固定してある構成を有する止水用下地材。
【発明の詳細な説明】
【０００１】
【発明の属する技術分野】
本発明は、隣接する建物間の躯体間隙を覆う屋根型ジョイントカバー材又は躯体の天端面を覆う笠木型カバー材を支持する止水用下地材に関する。
【０００２】
【従来の技術及び発明が解決しようとする課題】
従来のパラペット天端面を覆う笠木型カバー材の下地材としては、例えば実開昭６２−１６５３１８号に開示されているようなホルダーが一般的であった。すなわち、図４に示すように、パラペット天端部５Ａの天端面５Ｂの巾方向にわたる所要巾の基板部５１ａの両側に、笠木カバー材５２の上面に水勾配を与えるように若干高く突出する支持面部５１ｂ，５１ｃを形成し、これら支持面部５１ｂ，５１ｃの両側に笠木カバー材５２を嵌合する下折板５１ｄ，５１ｅを若干下開き状に形成してなるホルダー５１の如きものが一般的であった。このホルダー５１は、前記基板部５１ａにパラペットの巾方向に長く形成した長孔にアンカーボルトを打ち込んで天端面５Ｂの長手方向に適宜間隔をおいて固定配設し、このホルダー５１の上方から笠木カバー材５２を被嵌し、笠木カバー材５２両側に形成した下折部５２ａ，５２ｂの下端部を前記下折板５１ｄ，５１ｅの下端部に弾性係合させて笠木カバー材５２を支持するものであった。
【０００３】
ところが、このようなカバー材の取付け構造においては、ホルダー５１を天端面５Ｂの長手方向に適宜間隔をおいて配設するものであったため、パラペット天端部５Ａの側壁面に沿って下方より吹上げてくる雨水はホルダー５１、５１間から笠木カバー材５２内に浸入し放題であり、例えば笠木カバー材５２内のアンカーボルトなどを濡らして腐蝕を誘発し易いなどの問題があった。
【０００４】
そこで最近では、ホルダーとホルダーとの間にガスケットを配設して天端面とカバー材との間をシールする構成のものが開示されるようになってきた。
例えば、特開平９−４０７０号公報には、このようなガスケットを配設してなる屋根型エキスパンションジョイントの取り付け構造が開示されている。
【０００５】
すなわち、上記公報には、図５に断面図で示す如く、間隙を有した隣接する躯体４Ａ，４Ａ´にホルダー４３を跨がせ、このホルダー４３を両躯体４Ａ，４Ａ´にばね４６を介在して連結し、このホルダー４３にカバー体４４を被嵌させた構成を有するエキスパンションジョイントであって、少なくとも一方の躯体において、躯体面に固定した固定部材４１と、ホルダー４３にばね４６を介在して連結した支持部材４５とを、躯体間隙長手方向に対してスライド可能に、かつ躯体間隙幅方向に対して回動可能に連結した構成を有することを特徴とするエキスパンションジョイントが記載されており、このエキスパンションジョイントは、隣接する躯体４Ａ，４Ａ´の天端間に跨設するホルダー４３の取付け個所以外は、天端面とカバー体４４間を支持部材４１とガスケット４２によりシールして取り付けられている。
【０００６】
しかし、このような屋根型エキスパンションジョイントの取り付け構造においても、ホルダー４３の両端部における側板４３ｂの側端面から係止片４３ｃに至る間から、矢印で示す如く、雨水が下から回り込み浸入してばね４６やボルト４８，４９を濡らしてやはりこれらの腐蝕を誘発し易いという問題があった。
【０００７】
そこで本発明は、上記に見られるような屋根型ジョイントカバー材や笠木型カバー材の取付け構造において、下からの吹上げ雨水の浸入をも確実に遮断することができる止水用下地材を提供せんとするものである。
【０００８】
【課題を解決するための手段】
上記課題を解決するために本発明は、隣接する建物間の躯体間隙を覆う屋根型ジョイントカバー材又は躯体の天端面を覆う笠木型カバー材の下地材であって、前記躯体間隙幅方向又は天端面短手幅方向の立上り側壁により形成された凹溝部を有する下地材本体部と、下地材本体部の少なくとも一側に配設してあり、凹溝部を閉塞するように立上げ形成した水返し片を有する垂下部とを備え、立上り側壁と水返し片とを同等高さに形成して凹溝部の周壁としてあり、下地材本体部の凹溝部内の底板部に形成したボルト挿通用長孔にボルトを挿通して躯体天端面側に固定してある構成を有する止水用下地材とした。
これにより、下地材を取り付けた部分から下からの吹上げ雨水が屋根型ジョイントカバー材や笠木型カバー材内に浸入することを確実になくすことができるから、従来の如くガスケットを配設するなどして下地材間をシールすれば、屋根型ジョイントカバー材や笠木型カバー材内への雨水の浸入を確実に遮断することができる。
なお、上記構成において、垂下部は下地材本体部の少なくとも一側に配設されていればよく、下地材本体部の一側のみ垂下部を配設する場合も、下地材本体部の両側に垂下部を配設する場合を配設する場合も含むものである。
【０００９】
【発明の実施の形態】
以下、本発明の止水用下地材の構成を、屋根型ジョイントカバー材の下地材に適用した好適な実施形態について、図面に基づき具体的に説明する。
【００１０】
本例の止水用下地材１は、図１、図２及び図３に斜視図で示す如く、下地材本体部１１と垂下部１２，１２とからなり、上記下地材本体部１１は、横断面が略みぞ形鋼形状をなし、その長手方向の側縁辺沿いを立上げて立上り側壁１１３とすると共に、該立上り側壁１１３の内側に内向き片１１２，１１２を対向突設して、垂下部１２を挿着固定する凹溝部１１１が形成されている。
また、下地材本体部１１の底板部には、天端面上に固定した下地材固定具１２７との間をボルト１２５により固着するためのボルト挿通用長孔１２４が穿設されている。
【００１１】
一方、上記下地材本体部１１に固定されている垂下部１２は、図示の如く、その一端側にカバー係止部１２２が垂下形成されていると共に、下地材本体部１１の立上り側壁１１３と同等高さの水返し片１２１が形成されている。
そして、上記下地材本体部１１とは別体の垂下部１２にボルト挿通用長孔１２３を穿設しておき、これと下地材本体部１１に穿設したボルト挿通用長孔１２４とを符合させ、垂下部１２の側縁辺を下地材本体部１１の内向き片１１２，１１２によりかしめ固定されている。
【００１２】
なお、垂下部１２を下地材本体部１１と一体に成形し、同時にボルト挿通用長孔１２３，１２４を穿設して形成することもできる。
【００１３】
上述の如く、本例の止水用下地材１では、下地材本体部１１の凹溝部１１１に垂下部１２の他端側を挿入し、両者間をかしめ固定して予め下地材１を形成しておき、次いで、下地材固定具１２７と上記下地材１のボルト挿通用長孔１２３，１２４にボルト１２５を通し、ばね１２６を介在させて、躯体Ａ，Ａ´の天端に固着した下地材固定具１２７と上記下地材１間を弾発的に締着する。
【００１４】
このように、下地材固定具１２７と上記下地材１間が、ボルト１２５及びばね１２６を介して、ボルト挿通用長孔１２３，１２４の長さ方向にスライド可能に弾発的に締着されているので、躯体Ａと躯体Ａ´の相互間が揺動により近付いたり遠去かったりしても、それによるテンションを吸収することができる仕組みになっている。
【００１５】
上記水返し片１２１は、下地材本体部１１の側端面に当接され、立上り側壁１１３と同一高さの止水壁を形成するようになっていると共に、図３に示す如く、カバー材２の垂下係止片２１を矢印方向に回動移動させて、上記カバー係止部１２２に掛着固定するようになっている。
【００１６】
また、下地材本体部１１に垂下部１２を固定してなる下地材１の両端部を挟むようにして、従来同様のガスケット３が、躯体Ａ，Ａ´の天端面の長手方向に取付けられていて、該ガスケット３により、下地材１の取付け部位を除くカバー材２内壁面をシールして、雨水の浸入を遮断している。
【００１７】
なお、上記下地材本体部１１の内向き片１１２，１１２を側端部から所定長さだけ切除して、垂下部１２の水返し片１２１が下地材本体部１１の内側方向に入り込むように設定することもできる。
【００１８】
上記本発明の下地材１は、躯体Ａ，Ａ´の天端又は笠木にカバー材２を取付けると共に、カバー材２の取付け部位からの雨水の浸入を遮断するためのものであって、予め、躯体Ａ，Ａ´の天端又は笠木の幅間隔に対応するように寸法を調整した下地材本体部１１の長手方向に垂下部１２を内挿し、水返し片１２１で下地材本体部１１の凹溝部１１１を塞ぐように垂下部１２を下地材本体部１１にかしめ固定しておく。
【００１９】
そして、上述の如く、躯体Ａ，Ａ´の天端に固着した下地材固定具１２７から下地材１のボルト挿通用長孔１２３，１２４を通し、ばね１２６をかましたボルト１２５により、下地材固定具１２７と下地材１間を弾発的に締着しておく。
しかるのち、図３に示す如く、垂下部１２の一端に形成したカバー係止部１２２に、カバー材２の垂下係止片２１を係着すれば、矢印Ｘ，Ｘ´方向から吹上げられる雨水は、仮に、躯体Ａと躯体Ａ´の相互間隔が変動しても、下地材１の内側へ入り込むことができずその浸入が阻止されるので、下地材本体部１１の内側のボルト１２５やばね１２６、或いは、下地材固定具１２７等を腐蝕から保護することができるものである。
【００２０】
なお、上記下地材１の構成は、上述のような隣接する建物間の躯体間隙を覆う屋根型ジョイントカバー材の下地材（ホルダー）ばかりではなく、躯体の天端面を覆う笠木型カバー材の下地材（ホルダー）にも同様に適用可能である。
【図面の簡単な説明】
【図１】本発明の一実施例にかかる下地材の一例を示した斜視図である。
【図２】図１の下地材の分解状態を示した展開斜視図である。
【図３】図１の下地材を躯体間に取付けた状態を示した斜視図である。
【図４】従来の笠木型カバー材を支持する下地材の一例を示した側断面図である。
【図５】従来の屋根型エキスパンションジョイントカバー材を支持する下地材の一例を示した側断面図である。
【符号の説明】
１      下地材
１１    下地材本体部
１１１  凹溝部
１１２  内向き片
１１３  立上り側壁
１２    垂下部
１２１  水返し片
１２２  カバー係止部
１２３  ボルト挿通用長孔
１２４  ボルト挿通用長孔
１２５  ボルト
１２６  ばね
１２７  下地材固定具
２      カバー材
２１    垂下係止片
３      ガスケット
Ａ      躯体
Ａ´    躯体
【図１】
0003701130.tif 000002
【図２】
0003701130.tif 000003
【図３】
0003701130.tif 000004
【図４】
0003701130.tif 000005
【図５】
0003701130.tif 000006